(57)【要約】【課題】  ディスプレイ機能を持つボタンを備えた端末機及びそのためのディスプレイ方法を提供する。【解決手段】  端末機に及ぶ重力加速度を端末機に対して固定的な座標上で感知する感知部と、感知された結果を利用して端末機の傾斜度を算出する算出部と、複数の映像を制御信号に応答してディスプレイする複数のボタンと、あらかじめ設けられたた映像データのうち、算出された結果に相応する映像データが表す映像のディスプレイを指示する制御信号を生成する制御部とを備える。【選択図】      図１
2007312360.tif 000002
【特許請求の範囲】
【請求項１】
端末機において、
前記端末機に及ぶ重力加速度を前記端末機に対して固定的な座標上で感知する感知部と、
前記感知された結果を利用して前記端末機の傾斜度を算出する算出部と、
複数の映像を制御信号に応答してディスプレイする複数のボタンと、
あらかじめ設けられたた映像データのうち、前記算出された結果に相応する映像データが表す映像のディスプレイを指示する前記制御信号を生成する制御部とを備えることを特徴とするディスプレイ機能を持つボタンを備えた端末機。
【請求項２】
前記感知部は、
前記端末機に備えられた所定ボタンが操作された場合、動作することを特徴とする請求項１に記載のディスプレイ機能を持つボタンを備えた端末機。
【請求項３】
前記感知部は、
前記所定ボタンが操作されている間に動作することを特徴とする請求項２に記載のディスプレイ機能を持つボタンを備えた端末機。
【請求項４】
前記感知部は、
前記所定ボタンが操作された時から前記所定ボタンが再び操作されるまで動作することを特徴とする請求項２に記載のディスプレイ機能を持つボタンを備えた端末機。
【請求項５】
前記感知部は、
前記所定ボタンの操作開示時点及び操作終了時点に動作することを特徴とする請求項２に記載のディスプレイ機能を持つボタンを備えた端末機。
【請求項６】
前記所定ボタンは、加圧または接触により操作されることを特徴とする請求項２に記載のディスプレイ機能を持つボタンを備えた端末機。
【請求項７】
前記端末機の傾斜度は、前記端末機の傾いた方向及び前記端末機の傾いた程度のうち少なくとも一つであることを特徴とする請求項１に記載のディスプレイ機能を持つボタンを備えた端末機。
【請求項８】
前記複数のボタンは、
前記複数の映像を前記制御信号に応答してディスプレイする一つのディスプレイパネルを備えることを特徴とする請求項１に記載のディスプレイ機能を持つボタンを備えた端末機。
【請求項９】
前記あらかじめ設けられた映像データは、前記端末機の内部または外部に保存されて設けられたことを特徴とする請求項１に記載のディスプレイ機能を持つボタンを備えた端末機。
【請求項１０】
前記ディスプレイ機能を持つボタンを備えた端末機は、
一つ以上の映像を前記算出された結果に相応する順序によってディスプレイするメインディスプレイ部をさらに備えることを特徴とする請求項１に記載のディスプレイ機能を持つボタンを備えた端末機。
【請求項１１】
前記複数の映像それぞれの明暗、及び前記複数のボタンそれぞれのバックライト輝度のうち少なくとも一つは、前記端末機の傾斜度に相応して調整されることを特徴とする請求項１に記載のディスプレイ機能を持つボタンを備えた端末機。
【請求項１２】
前記座標の次元は、３次元であることを特徴とする請求項１に記載のディスプレイ機能を持つボタンを備えた端末機。
【請求項１３】
端末機において、
前記端末機に及ぶ重力加速度を、前記端末機に対して固定的な座標上で感知する感知部と、
前記感知された結果を利用して前記端末機の傾斜度を算出する算出部と、
複数の映像を制御信号に応答してディスプレイする複数のボタンと、
あらかじめ設けられた映像データのうち、前記算出された結果の変化推移に相応する映像データが表す映像のディスプレイを指示する前記制御信号を生成する制御部とを備えることを特徴とするディスプレイ機能を持つボタンを備えた端末機。
【請求項１４】
複数のボタンを備えた端末機で行われるディスプレイ方法において、
（ａ）前記端末機に及ぶ重力加速度を、前記端末機に対して固定的な座標上で感知するステップと、
（ｂ）前記感知された結果を利用して前記端末機の傾斜度を求めるステップと、
（ｃ）あらかじめ設けられた映像データのうち、前記求められた結果に相応する映像データが表す複数の映像を前記複数のボタンにディスプレイするステップとを含むことを特徴とするディスプレイ方法。
【請求項１５】
前記（ａ）ステップは、
前記端末機に備えられた所定ボタンが操作された場合、行われることを特徴とする請求項１４に記載のディスプレイ方法。
【請求項１６】
前記端末機の傾斜度は、前記端末機の傾いた方向及び前記端末機の傾いた程度のうち少なくとも一つであることを特徴とする請求項１４に記載のディスプレイ方法。
【請求項１７】
複数のボタンを備えた端末機で行われるディスプレイ方法において、
（ａ）前記端末機で実行可能な複数の上位機能に対応する複数の映像を前記複数のボタンにディスプレイするステップと、
（ｂ）前記端末機に及ぶ重力加速度を前記端末機に対して固定的な座標上で感知するステップと、
（ｃ）前記感知された結果を利用して前記端末機の傾斜度を求め、前記複数の上位機能のうち前記求められた結果に相応する上位機能を選択するステップと、
（ｄ）前記選択された上位機能に属する複数の下位機能に対応する複数の映像を前記複数のボタンにディスプレイするステップとを含むことを特徴とするディスプレイ方法。
【請求項１８】
前記（ｃ）ステップは、電話かけ機能を選択し、
前記（ｄ）ステップは、通話開始機能を意味する映像、通話終了機能を意味する映像、０ないし９の数字を前記複数のボタンにディスプレイすることを特徴とする請求項１７に記載のディスプレイ方法。
【請求項１９】
前記（ｃ）ステップは、メッセージ機能を選択し、
前記（ｄ）ステップは、受信されたメッセージの確認機能を意味する映像、メッセージの作成及び発信機能を意味する映像を前記複数のボタンにディスプレイすることを特徴とする請求項１７に記載のディスプレイ方法。
【請求項２０】
前記（ｃ）ステップは、新しいメッセージ書き込み機能を選択し、
前記（ｄ）ステップは、前記端末機に入力可能な複数の文字を前記複数のボタンにディスプレイすることを特徴とする請求項１７に記載のディスプレイ方法。
【請求項２１】
前記文字は、数字、ハングル子音、ハングル母音、アルファベット大文字、アルファベット小文字、記号、または顔文字であることを特徴とする請求項２０に記載のディスプレイ方法。
【請求項２２】
前記（ｃ）ステップは、撮影機能を選択し、
前記（ｄ）ステップは、フラッシュ調節機能を意味する映像、ズームイン機能を意味する映像、ズームアウト機能を意味する映像、及び撮影を意味する映像を前記複数のボタンにディスプレイすることを特徴とする請求項１７に記載のディスプレイ方法。
【請求項２３】
複数のボタンを備えた端末機で行われるディスプレイ方法において、
（ａ）前記端末機に及ぶ重力加速度を前記端末機に対して固定的な座標上で感知するステップと、
（ｂ）前記感知された結果を利用して前記端末機の傾斜度を求めるステップと、
（ｃ）あらかじめ設けられた映像データのうち、前記求められた結果の変化推移に相応する映像データが表す複数の映像を、前記複数のボタンにディスプレイするステップとを含むことを特徴とするディスプレイ方法。
【請求項２４】
端末機において、
前記端末機で行える複数の上位機能に対応する複数の映像をディスプレイする複数のボタンと、
前記端末機に及ぶ重力加速度を前記端末機に対して固定的な座標上で感知する感知部と、
前記感知された結果を利用して前記端末機の傾斜度を算出し、前記複数の上位機能のうち前記算出された結果に相応する上位機能を選択する算出部とを備え、
前記算出された結果に相応する上位機能が選択されれば、前記複数のボタンは、前記複数の上位機能に対応する複数の映像をもうディスプレイせず、前記選択された上位機能に属する複数の下位機能に対応する複数の映像をディスプレイすることを特徴する端末機。
【請求項２５】
請求項１４、１７、２３のうちいずれか一項に記載の方法をコンピュータで実行させるためのプログラムを保存したコンピュータで読み取り可能な記録媒体。
【発明の詳細な説明】
【技術分野】
【０００１】
本発明は、携帯電話機のような端末機に係り、より詳細には、映像のディスプレイが可能なボタンを備えた端末機及びそのためのディスプレイ方法に関する。
【背景技術】
【０００２】
携帯電話機のような端末機は、複数のボタンを備えるのが一般的である。この時、端末機を使用するユーザは、そのボタンを操作することによってその端末機で実行可能な多様な機能、例えば、電話かけ機能、文字メッセージ作成及び発信機能、及び動画ファイル再生機能のうち特定機能を選択し、その端末機は、その選択された特定機能を行う。
【０００３】
結局、端末機で実行可能な機能が多ければ多いほど、特定機能を選択しようとするユーザは、さらに多くの回数のボタン操作を行う面倒さを甘受せねばならない。単純に電話通話機能だけ可能な電話機よりは、電話通話機能、音楽再生機能、動画再生機能、インターネットサーフィン機能など多様な機能をいずれも行える電話機がさらに市場競争力を持つことが最近の実情であるということに鑑みる時、現在のボタン体系下でその面倒さはさらに深刻化すると予想される。
【０００４】
また、端末機で実行可能な機能が多ければ多いほど、それぞれのボタンが持つ用途が多くならざるをえず、それぞれのボタンごとにそのボタンの用途を表現するためにそのボタンの表面に表記される文字のサイズが小さくなり、視力の弱い人はそれぞれのボタン操作に困難を感じる。
【０００５】
一方、ユーザのボタン回数を縮めるために端末機に多数のボタンを用意する方案を考慮することもできるが、製品の小型化を追求する最近の勢いに応じるならば、端末機に設けられたボタンのサイズが小さくならざるをえないので、ボタン操作が困難になる恐れがある。
【発明の開示】
【発明が解決しようとする課題】
【０００６】
本発明が解決しようとする第１技術的課題は、端末機の傾斜度によって決定される複数の映像を、その端末機に備えられた複数のボタンにディスプレイするディスプレイ機能を持つボタンを備えた端末機を提供するところにある。
【０００７】
本発明が解決しようとする第２技術的課題は、端末機の傾斜度の変化推移によって決定される複数の映像を、その端末機に備えられた複数のボタンにディスプレイするディスプレイ機能を持つボタンを備えた端末機を提供するところにある。
【０００８】
本発明が解決しようとする第３技術的課題は、端末機の傾斜度によって決定される複数の映像を、その端末機に備えられた複数のボタンにディスプレイするディスプレイ機能を持つボタンを備えた端末機のためのディスプレイ方法を提供するところにある。
【０００９】
本発明が解決しようとする第４技術的課題は、端末機の傾斜度の変化推移によって決定される複数の映像を、その端末機に備えられた複数のボタンにディスプレイするディスプレイ機能を持つボタンを備えた端末機のためのディスプレイ方法を提供するところにある。
【課題を解決するための手段】
【００１０】
前記第１技術的課題を解決するために、本発明によるディスプレイ機能を持つボタンを備えた端末機は、前記端末機に及ぶ重力加速度を前記端末機に対して固定的な座標上で感知する感知部と、前記感知された結果を利用して前記端末機の傾斜度を算出する算出部と、複数の映像を制御信号に応答してディスプレイする複数のボタンと、あらかじめ設けられたた映像データのうち、前記算出された結果に相応する映像データが表す映像のディスプレイを指示する前記制御信号を生成する制御部とを備えることが望ましい。
【００１１】
前記第２技術的課題を解決するために、本発明によるディスプレイ機能を持つボタンを備えた端末機は、前記端末機に及ぶ重力加速度を、前記端末機に対して固定的な座標上で感知する感知部と、前記感知された結果を利用して前記端末機の傾斜度を算出する算出部と、複数の映像を制御信号に応答してディスプレイする複数のボタンと、あらかじめ設けられた映像データのうち、前記算出された結果の変化推移に相応する映像データが表す映像のディスプレイを指示する前記制御信号を生成する制御部と、を備えることが望ましい。
【００１２】
前記第３技術的課題を解決するために、複数のボタンを備えた端末機で行われる本発明によるディスプレイ方法は、前記端末機に及ぶ重力加速度を、前記端末機に対して固定的な座標上で感知する（ａ）ステップと、前記感知された結果を利用して前記端末機の傾斜度を求める（ｂ）ステップと、あらかじめ設けられた映像データのうち、前記求められた結果に相応する映像データが表す複数の映像を前記複数のボタンにディスプレイする（ｃ）ステップとを含むことが望ましい。
【００１３】
前記第４技術的課題を解決するために、複数のボタンを備えた端末機で行われる本発明によるディスプレイ方法は、前記端末機で実行可能な複数の上位機能に対応する複数の映像を前記複数のボタンにディスプレイする（ａ）ステップと、前記端末機に及ぶ重力加速度を前記端末機に対して固定的な座標上で感知する（ｂ）ステップと、前記感知された結果を利用して前記端末機の傾斜度を求め、前記複数の上位機能のうち前記求められた結果に相応する上位機能を選択する（ｃ）ステップと、前記選択された上位機能に属する複数の下位機能に対応する複数の映像を前記複数のボタンにディスプレイする（ｄ）ステップとを含むことが望ましい。
【００１４】
前記第５技術的課題を解決するために、複数のボタンを備えた端末機で行われる本発明によるディスプレイ方法は、前記端末機に及ぶ重力加速度を前記端末機に対して固定的な座標上で感知する（ａ）ステップと、前記感知された結果を利用して前記端末機の傾斜度を求める（ｂ）ステップと、あらかじめ設けられた映像データのうち、前記求められた結果の変化推移に相応する映像データが表す複数の映像を、前記複数のボタンにディスプレイする（ｃ）ステップとを含むことが望ましい。
【００１５】
本発明と本発明の動作上の利点及び本発明の実施によって達成される目的を十分に理解するためには、本発明の望ましい実施形態を例示する添付図面及びその添付図面を説明する内容を参照せねばならない。
【発明の効果】
【００１６】
本発明によるディスプレイ機能を持つボタンを備えた端末機及びそのためのディスプレイ方法は、端末機の傾斜度によって決定される複数の映像をその端末機に備えられた複数のボタンにディスプレイするので、端末機で実行可能な機能がいくら多くともボタンのサイズを縮める必要がないので、ボタン操作を行うユーザの作業便宜性を図る効果を持つ。また、本発明によれば、ボタンの用途がボタンの表面に表記されずにボタン全体に可変的にディスプレイされるので、用途がボタンに小さく表記された従来にはボタンの用途を識別し難かったユーザでも、ボタンの用途を容易に識別できる。さらに、本発明はそのボタンの用途をディスプレイするのに当って、ユーザが現在操作しようとする用途を予想してディスプレイするので、本発明によれば、ユーザが自分の所望するボタン操作のために同じボタンを反復的に押す面倒さを甘受しなくて済む。さらに、本発明によれば、端末機に備えられねばならないボタンの数を画期的に低減できて、端末機の小型化を通じた市場競争力の強化を図ることができる。
【発明を実施するための最良の形態】
【００１７】
以下、本発明によるディスプレイ機能を持つボタンを備えた端末機及びそのためのディスプレイ方法を、添付した図面を参照して次の通り説明する。
【００１８】
図１は、本発明によるディスプレイ機能を持つボタンを備えた端末機を説明するためのブロック図であり、感知部１１０、算出部１２０、複数のボタン１３０、制御部１４０、保存部１５０、及びメインディスプレイ部１６０を備える。ここで、複数のボタン１３０は、第１ボタン１３０−１ないし第Ｎボタン１３０−Ｎで形成される。この時、ｎ、及びＮは、１≦ｎ≦Ｎ（ただし、Ｎは２以上の整数）の整数である。
【００１９】
感知部１１０は、加速度センサーで具現できる。具体的に、感知部１１０は、端末機に及ぶ重力加速度をその端末機に対して固定的な座標上で感知できる。ここで、その端末機に対して固定的な座標とは、その端末機が傾く場合にその端末機と共に傾く座標を意味する。説明の便宜上、その端末機に対して固定的な座標は、直交するｘ、ｙ、ｚ軸からなる３次元の座標であると仮定する。この場合、端末機が傾けば、各ｘ、ｙ、ｚ軸の方向も傾く。例えば、端末機が西方に３０°傾くならば、ｘ軸、ｙ軸、ｚ軸の方向いずれも西方に３０°傾く。このように、その端末機に対して固定的な座標が直交するｘ、ｙ、ｚ軸からなるならば、感知部１１０は、端末機に及ぶ重力加速度をｘ、ｙ、ｚ軸の各成分別に感知できる。この場合、端末機が傾けば、感知部１１０で感知された各成分別重力加速度が変更される。例えば、端末機がどの方向にも少しても傾いていない場合、端末機に及ぶ重力加速度にｚ軸成分だけ存在するならば、端末機が傾く場合、端末機に及ぶｚ軸成分の重力加速度は減少し、ｘ軸、及びｙ軸成分のうち少なくとも一つの重力加速度は増加する。
【００２０】
このような感知部１１０は、端末機に備えられた所定ボタンが操作された場合に動作することが望ましい。ここで、操作は加圧を意味することもあり、接触を意味することもある。すなわち、ユーザがボタンを押すこと、ユーザがボタンに指先を接触させることなどはそのボタン操作の一例である。
【００２１】
感知部１１０は、ユーザがその所定ボタンを持続的に押している場合に動作し、その押していた所定ボタンからユーザが指を離す場合にその動作を中断できる。同様に、感知部１１０は、ユーザがその所定ボタンに指を持続的に接触する場合に動作し、その接触していた所定ボタンからユーザが指を離す場合にその動作を中断すすることもある。
【００２２】
一方、感知部１１０は、その所定ボタンの操作開示時点及び操作終了時点にのみ動作することもある。
【００２３】
また、感知部１１０は、ユーザがその所定ボタンを押した場合に動作を開示し、ユーザがその所定ボタンを再び押した場合にその動作を中断することもある。同様に、感知部１１０は、ユーザがその所定ボタンに接触した場合に動作を開示し、ユーザがその所定ボタンに再度接触した場合にその動作を中断することもある。
【００２４】
以上で説明したように、感知部１１０は断続的に動作することが望ましい。
【００２５】
以下説明の便宜上、感知部１１０が動作を開示する時点に、端末機は常に傾いていないと仮定する。また、感知部１１０は、ユーザが指でその所定ボタンを押している間に動作すると仮定する。
【００２６】
感知部１１０は、自身が感知した結果を算出部１２０に出力する。
【００２７】
算出部１２０は、感知部１１０から入力された‘その感知された結果’を利用して、端末機の傾斜度を算出できる。本明細書上で、端末機の傾斜度とは、端末機の傾いた方向及び端末機の傾いた程度のうち少なくとも一つを意味する。
【００２８】
本発明の第１実施形態によれば、算出部１２０は、ユーザがその所定ボタンから指を離す当時のその端末機の傾斜度を算出する。このために、算出部１２０は、感知部１１０から入力された‘その感知された結果’のうち、最も後ほど感知された結果を利用して端末機の傾斜度を算出できる。
【００２９】
一方、本発明の第２実施形態によれば、算出部１２０は、ユーザがその所定ボタンを押している毎瞬間のその端末機の傾斜度を算出する。このために、算出部１２０は、感知部１１０から入力された毎瞬間の‘その感知された結果’を利用して、端末機の傾斜度を各時点別に算出できる。
【００３０】
複数のボタン１３０は、複数の映像、例えば、Ｎ個の映像を制御信号に応答してディスプレイする。このために、複数のボタン１３０−１，…，１３０−ｎ，…，１３０−Ｎは、その複数の映像を制御信号に応答してディスプレイするサブディスプレイ部（図示せず）を備える。この時、サブディスプレイ部（図示せず）は、一つのディスプレイパネルで具現されることが望ましい。
【００３１】
制御部１４０は、制御信号を生成する。
【００３２】
本発明の第１実施形態によれば、制御信号はあらかじめ設けられた映像データのうち、算出部１２０から算出されたその‘端末機の傾斜度’に相応する映像データが持つ複数の映像のディスプレイを指示する信号である。具体的に、ｋ（ただし、ｋは自然数）番目に生成された制御信号は、あらかじめ設けられた映像データのうち‘複数のボタン１３０でｋ−１番目にディスプレイされる複数の映像’及び‘端末機のｋ番目の傾斜度’に相応する映像データが表す複数の映像のディスプレイを指示する信号である。
【００３３】
一方、本発明の第２実施形態によれば、制御信号はあらかじめ設けられた映像データのうち、算出部１２０から算出されたその‘端末機の傾斜度’の変化推移に相応する映像データが持つ複数の映像のディスプレイを指示する信号である。具体的に、ｋ番目に生成された制御信号は、あらかじめ設けられた映像データのうち‘複数のボタン１３０でｋ−１番目にディスプレイされた複数の映像’及び‘端末機の傾斜度のｋ番目の変化推移’に相応する映像データが表す複数の映像のディスプレイを指示する信号である。
【００３４】
一方、複数のボタン１３０がｋ番目にディスプレイする複数の映像は、制御部１４０がｋ番目に生成する制御信号に相応して決定される。すなわち、制御部１４０は、‘端末機が所定ボタンが操作されたまま傾いた後、その所定ボタンの操作が解除される度’に制御信号を生成し、複数のボタン１３０にディスプレイされる複数の映像はその制御信号が生成される度に更新できる。
【００３５】
保存部１５０は、本発明によるディスプレイ機能を持つボタンを備えた端末機の内部に設けられることもあり、外部に設けられることもある。これと異なって、感知部１１０、算出部１２０、複数のボタン１３０、制御部１４０、及びメインディスプレイ部１６０は、本発明によるディスプレイ機能を持つボタンを備えた端末機に設けられることが望ましい。
【００３６】
そのあらかじめ設けられた映像データは、その保存部１５０に保存されて設けられる。具体的に、本発明の第１実施形態によれば、保存部１５０は、‘端末機の傾斜度’別に映像データを保存することが望ましい。また、本発明の第２実施形態によれば、保存部１５０は、‘端末機の傾斜度の変化推移’別に映像データを保存することが望ましい。
【００３７】
結局、本発明の第１実施形態によれば、制御部１４０は、そのあらかじめ設けられた映像データのうち、‘端末機のｋ番目の傾斜度’に相応する映像データを保存部１５０からｋ番目に読み出し、そのｋ番目に読み出された映像データが表す複数の映像のディスプレイを指示する信号である制御信号をｋ番目に生成し、そのｋ番目に生成された制御信号とそのｋ番目に読み出された映像データとを複数のボタン１３０それぞれに伝達する。それにより、複数のボタン１３０は、複数の映像をｋ番目にディスプレイする。
【００３８】
一方、本発明の第２実施形態によれば、制御部１４０は、そのあらかじめ設けられた映像データのうち、‘端末機の傾斜度のｋ番目の変化推移’に相応する映像データを保存部１５０からｋ番目に読み出し、そのｋ番目に読み出された映像データが持つ複数の映像のディスプレイを指示する信号である制御信号をｋ番目に生成し、そのｋ番目に生成された制御信号とそのｋ番目に読み出された映像データとを複数のボタン１３０それぞれに伝達する。それにより、複数のボタン１３０は、複数の映像をｋ番目にディスプレイする。
【００３９】
メインディスプレイ部１６０は、ディスプレイ機能を行うインターフェースを意味する。このようなメインディスプレイ部１６０は、ディスプレイ機能を行う出力装置としてのみ動作することもあり、タッチスクリーンのように入出力装置として動作することもある。
【００４０】
図２は、本発明によるディスプレイ機能を持つボタンを備えたホルダー型携帯電話機の広げられた態様の一例を示す図である。すなわち、図２は、本発明による端末機が携帯電話機として具現された場合を示す。ここで、端末機には１３個のボタン２０５ないし２６５が備えられる。具体的に、識別番号２０５、２１０、２１５、２２０、２２５、２３０、２３５、２４０、２４５、２５０、２５５、２６０、２６５は、第１、第２、第３、第４、第５、第６、第７、第８、第９、第１０、第１１、第１２、第１３ボタンを意味する。ここで、ディスプレイ機能を持つ複数のボタンは、第１ないし第１２ボタン２０５ないし２６０であり、前述した所定ボタンは、第１３ボタン２６５である。所定ボタンは、図２に図示したように、ディスプレイ機能を持つ複数のボタンと別個のボタンでもよく、図２とは異なって、ディスプレイ機能を持つ複数のボタンのうち一つのボタンでもよい。一方、識別番号２７０は、携帯電話機に備えられたディスプレイ窓を意味する。そのディスプレイ窓は、図１に図示したメインディスプレイ部１６０の可能な具現例である。
【００４１】
複数のボタン２０５ないし２６０は、ユーザが携帯電話機のホルダーを開いた途端、その携帯電話機で実行可能な機能を意味する映像をディスプレイできる。例えば、携帯電話機で電話通話機能、メッセージ機能、インターネットサーフィン機能、撮影機能、音楽検索機能、音楽再生機能、静止映像検索機能、静止映像再生機能、動画検索機能、及び動画再生機能などが実行可能ならば、複数のボタン２０５ないし２６０はその機能を意味する映像をディスプレイできる。
【００４２】
以下、図３ないし図９について説明を開示するが、説明の便宜上、本発明の第１実施形態に限って開示する。
【００４３】
図３は、図２に図示した携帯電話機を利用して電話をかける過程を説明するための図である。ユーザは、電話通話機能を意味する映像がディスプレイされたボタンを操作することによって、携帯電話機が電話通話機能を行うように指示できる。すなわち、ユーザは電話通話機能を意味する映像がディスプレイされたボタンを操作することによって、複数のボタン２０５ないし２６０が、図３に図示したように、通話開始機能を意味する映像、通話終了機能を意味する映像、電話番号を入力するための０ないし９の数字をディスプレイするように指示できる。
【００４４】
これと関連して、本発明によるディスプレイ機能を持つボタンを備えた携帯電話機は、ユーザが電話通話機能を意味する映像がディスプレイされたボタンを操作しなくても、電話通話機能を行える。例えば、ユーザが第１３ボタン２６５を押したまま携帯電話機を北方に４５°ほど傾けた後、第１３ボタン２６５から指を離すことによって、複数のボタン２０５ないし２６０は、図３に図示したように、通話開始機能を意味する映像、通話終了機能を意味する映像、電話番号を入力するための０ないし９の数字をディスプレイできる。このために、保存部１５０は、携帯電話機が‘北方に４５°ほど傾いた場合’に該当する映像データのうち一つとして、通話開始機能を意味する映像、通話終了機能を意味する映像、電話番号を入力するための０ないし９の数字を表す映像データを保存することが望ましい。それにより、制御部１４０は、携帯電話機が‘北方に４５°ほど傾いた場合（ただし、傾く直前の携帯電話機は初期状態にある）’に相応する映像データとして、通話開始機能を意味する映像、通話終了機能を意味する映像、電話番号を入力するための０ないし９の数字を表す映像データを保存部１５０から読み出す。ここで、初期状態とは、携帯電話機のホルダーが開いた直後の状態を意味する。また、制御部１４０は、その読み出された映像データが持つ複数の映像のディスプレイを指示する信号である制御信号を生成し、その生成された制御信号とその読み出された映像データとを複数のボタン１３０それぞれに伝達する。それにより、複数のボタン１３０は、図３に図示したように、通話開始機能を意味する映像、通話終了機能を意味する映像、電話番号を入力するための０ないし９の数字をディスプレイする。
【００４５】
図４は、図２に図示した携帯電話機を利用してメッセージを発信するか、または受信されたメッセージを確認する過程を説明するための図である。ユーザは、メッセージ機能を意味する映像がディスプレイされたボタンを操作することによって、携帯電話機がメッセージ機能を行うように指示できる。すなわち、ユーザは、メッセージ機能を意味する映像がディスプレイされたボタンを操作することによって、複数のボタン２０５ないし２６０、特に、第６ボタン２３０及び第１０ボタン２５０が図４に図示したように、メッセージ機能を意味する映像をディスプレイするように指示できる。
【００４６】
これと関連して、本発明によるディスプレイ機能を持つボタンを備えた携帯電話機は、ユーザがメッセージ機能を意味する映像がディスプレイされたボタンを操作しなくても、メッセージ機能を行える。例えば、ユーザが第１３ボタン２６５を押したまま携帯電話機を南方に４５°ほど傾けた後、第１３ボタン２６５から指を離すことによって、複数のボタン２０５ないし２６０は、図４に図示したように、受信されたメッセージの確認機能を意味する映像、メッセージ作成及び発信機能を意味する映像をディスプレイできる。このために、保存部１５０は、携帯電話機が‘南方に４５°ほど傾いた場合’に該当する映像データのうち一つとして、受信されたメッセージの確認機能を意味する映像、メッセージ作成及び発信機能を意味する映像を表す映像データを保存することが望ましい。それにより、制御部１４０は、携帯電話機が‘南方に４５°ほど傾いた場合（ただし、傾く直前の携帯電話機は初期状態にあること）’に相応する映像データとして、受信されたメッセージの確認機能を意味する映像、メッセージ作成及び発信機能を意味する映像を表す映像データを保存部１５０から読み出す。この場合、制御部１４０は、その読み出された映像データが持つ複数の映像のディスプレイを指示する信号である制御信号を生成し、その生成された制御信号とその読み出された映像データとを複数のボタン１３０それぞれに伝達する。それにより、複数のボタン１３０は、図４に図示したように、受信されたメッセージの確認機能を意味する映像、メッセージ作成及び発信機能を意味する映像をディスプレイする。
【００４７】
図５Ａないし図５Ｃは、図２に図示した携帯電話機に受信されたメッセージを確認する過程を説明するための図である。
【００４８】
ユーザが図４に図示した携帯電話機の第６ボタン２３０を操作するならば、ディスプレイ窓２７０は、受信されたメッセージ確認と関連したカテゴリー、例えば、‘文字私書箱’、‘音声私書箱’、‘映像私書箱’、‘受信箱管理’をディスプレイし、複数のボタン２０５ないし２６０は、そのディスプレイ窓２７０に現れたカテゴリーのうち一つを選択するための矢印、確認機能を意味する映像、及び上位機能に戻るためのキャンセル機能を意味する映像をディスプレイすると仮定しよう。
【００４９】
これと関連して、本発明によるディスプレイ機能を持つ複数のボタン２０５ないし２６０は、ユーザが図４に図示した第６ボタン２３０を操作しなくても、ディスプレイ窓２７０に現れたカテゴリーのうち一つを選択するための矢印、確認機能を意味する映像、及びキャンセル機能を意味する映像をディスプレイできる。例えば、ユーザが第１３ボタン２６５を押したまま携帯電話機を西方に４５°ほど傾けた後、第１３ボタン２６５から指を離すことによって、複数のボタン２０５ないし２６０は、図５Ａに図示したように、ディスプレイ窓２７０に現れたカテゴリーのうち一つを選択するための矢印、確認機能を意味する映像、及びキャンセル機能を意味する映像をディスプレイする。このために、保存部１５０は、携帯電話機が‘西方に４５°ほど傾いた場合’に該当する映像データのうち一つとして、ディスプレイ窓２７０に現れたカテゴリーのうち一つを選択するための矢印、確認機能を意味する映像、及びキャンセル機能を意味する映像を表す映像データを保存することが望ましい。それにより、制御部１４０は、携帯電話機が‘西方に４５°ほど傾いた場合（ただし、複数のボタン２０５ないし２６０は、携帯電話機が傾く直前にメッセージ機能を意味する映像をディスプレイ）’に相応する映像データとして、ディスプレイ窓２７０に現れたカテゴリーのうち一つを選択するための矢印、確認機能を意味する映像、及びキャンセル機能を意味する映像を表す映像データを保存部１５０から読み出す。この場合、制御部１４０は、その読み出された映像データが持つ複数の映像のディスプレイを指示する信号である制御信号を生成し、その生成された制御信号とその読み出された映像データとを複数のボタン１３０それぞれに伝達する。それにより、複数のボタン１３０は、図５Ａに図示したように、ディスプレイ窓２７０に現れたカテゴリーのうち一つを選択するための矢印、確認機能を意味する映像、及びキャンセル機能を意味する映像をディスプレイする。
【００５０】
一方、ユーザが図５Ａに図示した携帯電話機の第４ボタン２２０を操作するならば、ディスプレイ窓２７０は、文字私書箱に保管された文字メッセージをディスプレイし、複数のボタン２０５ないし２６０は、そのディスプレイされた文字メッセージのうち一つを選択するための矢印、確認機能を意味する映像、及びキャンセル機能を意味する映像をディスプレイすると仮定しよう。この場合、ディスプレイ窓２７０は、文字メッセージをディスプレイするに当って、それぞれの文字メッセージごとに文字メッセージの開始部分のみをディスプレイする。
【００５１】
これと関連して、本発明によるディスプレイ機能を持つ複数のボタン２０５ないし２６０は、ユーザが図５Ａに図示した第４ボタン２２０を操作しなくても、ディスプレイ窓２７０にディスプレイされた文字メッセージのうち一つを選択するための矢印、確認機能を意味する映像、及びキャンセル機能を意味する映像をディスプレイできる。例えば、ユーザが第１３ボタン２６５を押したまま携帯電話機を西方に４５°ほど傾けた後、第１３ボタン２６５から指を離すことによって、複数のボタン２０５ないし２６０は、図５Ｂに図示したように、ディスプレイ窓２７０にディスプレイされた文字メッセージのうち一つを選択するための矢印、確認機能を意味する映像、及びキャンセル機能を意味する映像をディスプレイする。このために、保存部１５０は、携帯電話機が‘西方に４５°ほど傾いた場合’に該当する映像データのうち一つとして、ディスプレイ窓２７０にディスプレイされた文字メッセージのうち一つを選択するための矢印、確認機能を意味する映像、及びキャンセル機能を意味する映像を表す映像データを保存することが望ましい。それにより、制御部１４０は、携帯電話機が‘西方に４５°ほど傾いた場合（ただし、複数のボタン２０５ないし２６０は、携帯電話機が傾く直前に、ディスプレイ窓２７０に現れたカテゴリーのうち一つを選択するための矢印、確認機能を意味する映像、及びキャンセル機能を意味する映像をディスプレイ）’に相応する映像データとして、ディスプレイ窓２７０にディスプレイされた文字メッセージのうち一つを選択するための矢印、確認機能を意味する映像、及びキャンセル機能を意味する映像を表す映像データを保存部１５０から読み出す。この場合、制御部１４０は、その読み出された映像データが持つ複数の映像のディスプレイを指示する信号である制御信号を生成し、その生成された制御信号とその読み出された映像データとを複数のボタン１３０それぞれに伝達する。それにより、複数のボタン１３０は、図５Ｂに図示したように、ディスプレイ窓２７０にディスプレイされた文字メッセージのうち一つを選択するための矢印、確認機能を意味する映像、及びキャンセル機能を意味する映像をディスプレイする。
【００５２】
一方、図５Ｂに図示したように、ユーザが１番目の文字メッセージが選択された状態で第４ボタン２２０を操作するならば、ディスプレイ窓２７０は、その選択された文字メッセージの内容全体をディスプレイし、複数のボタン２０５ないし２６０は、返事機能を意味する映像、番号保存機能を意味する映像、削除機能を意味する映像、その選択された文字メッセージを発信した携帯電話からの文字メッセージ受信を拒否する機能を意味する映像、その選択された文字メッセージを他の携帯電話機に伝達する機能を意味する映像をディスプレイすると仮定しよう。
【００５３】
これと関連して、本発明によるディスプレイ機能を持つ複数のボタン２０５ないし２６０は、ユーザが図５Ｂに図示した第４ボタン２２０を操作しなくても、返事機能を意味する映像、番号保存機能を意味する映像、削除機能を意味する映像、その選択された文字メッセージを発信した携帯電話からの文字メッセージ受信を拒否する機能を意味する映像、その選択された文字メッセージを他の携帯電話機に伝達する機能を意味する映像をディスプレイできる。例えば、ユーザが第１３ボタン２６５を押したまま携帯電話機を西方に４５°ほど傾けた後、第１３ボタン２６５から指を離すことによって、複数のボタン２０５ないし２６０は図５Ｃに図示したように、返事機能を意味する映像、番号保存機能を意味する映像、削除機能を意味する映像、その選択された文字メッセージを発信した携帯電話からの文字メッセージ受信を拒否する機能を意味する映像、その選択された文字メッセージを他の携帯電話機に伝達する機能を意味する映像をディスプレイする。このために、保存部１５０は、携帯電話機が‘西方に４５°ほど傾いた場合’に該当する映像データのうち一つとして、返事機能を意味する映像、番号保存機能を意味する映像、削除機能を意味する映像、その選択された文字メッセージを発信した携帯電話からの文字メッセージ受信を拒否する機能を意味する映像、その選択された文字メッセージを他の携帯電話機に伝達する機能を意味する映像を表す映像データを保存することが望ましい。それにより、制御部１４０は、携帯電話機が‘西方に４５°ほど傾いた場合（ただし、複数のボタン２０５ないし２６０は、携帯電話機が傾く直前に、ディスプレイ窓２７０にディスプレイされた文字メッセージのうち一つを選択するための矢印、確認機能を意味する映像、及びキャンセル機能を意味する映像をディスプレイ）’に相応する映像データとして、返事機能を意味する映像、番号保存機能を意味する映像、削除機能を意味する映像、その選択された文字メッセージを発信した携帯電話からの文字メッセージ受信を拒否する機能を意味する映像、その選択された文字メッセージを他の携帯電話機に伝達する機能を意味する映像を表す映像データを保存部１５０から読み出す。この場合、制御部１４０は、その読み出された映像データが持つ複数の映像のディスプレイを指示する信号である制御信号を生成し、その生成された制御信号とその読み出された映像データとを複数のボタン１３０それぞれに伝達する。それにより、複数のボタン１３０は、図５Ｃに図示したように、返事機能を意味する映像、番号保存機能を意味する映像、削除機能を意味する映像、その選択された文字メッセージを発信した携帯電話からの文字メッセージ受信を拒否する機能を意味する映像、その選択された文字メッセージを他の携帯電話機に伝達する機能を意味する映像をディスプレイする。
【００５４】
図６Ａないし図６Ｊは、図２に図示した携帯電話機を利用して文字メッセージを発信する過程を説明するための図である。
【００５５】
ユーザが図４に図示した携帯電話機の第１０ボタン２５０を操作するならば、ディスプレイ窓２７０は、メッセージ発信と関連したカテゴリー、例えば、‘文字メッセージ作成’、‘音声メッセージ作成’、‘発信箱管理’をディスプレイし、複数のボタン２０５ないし２６０は、そのディスプレイ窓２７０に現れたカテゴリーのうち一つを選択するための矢印、確認機能を意味する映像、及びキャンセル機能を意味する映像をディスプレイすると仮定しよう。
【００５６】
これと関連して、本発明によるディスプレイ機能を持つ複数のボタン２０５ないし２６０は、ユーザが図４に図示した第１０ボタン２５０を操作しなくても、ディスプレイ窓２７０に現れたカテゴリーのうち一つを選択するための矢印、確認機能を意味する映像、及びキャンセル機能を意味する映像をディスプレイできる。例えば、ユーザが第１３ボタン２６５を押したまま携帯電話機を東方に４５°ほど傾けた後、第１３ボタン２６５から指を離すことによって、複数のボタン２０５ないし２６０は、図６Ａに図示したように、ディスプレイ窓２７０に現れたカテゴリーのうち一つを選択するための矢印、確認機能を意味する映像、及びキャンセル機能を意味する映像をディスプレイする。このために、保存部１５０は、携帯電話機が‘東方に４５°ほど傾いた場合’に該当する映像データのうち一つとして、ディスプレイ窓２７０に現れたカテゴリーのうち一つを選択するための矢印、確認機能を意味する映像、及びキャンセル機能を意味する映像を表す映像データを保存することが望ましい。それにより、制御部１４０は、携帯電話機が‘東方に４５°ほど傾いた場合（ただし、複数のボタン２０５ないし２６０は、携帯電話機が傾く直前にメッセージ機能を意味する映像をディスプレイ）’に相応する映像データとして、ディスプレイ窓２７０に現れたカテゴリーのうち一つを選択するための矢印、確認機能を意味する映像、及びキャンセル機能を意味する映像を表す映像データを保存部１５０から読み出す。この場合、制御部１４０は、その読み出された映像データが持つ複数の映像のディスプレイを指示する信号である制御信号を生成し、その生成された制御信号とその読み出された映像データとを複数のボタン１３０それぞれに伝達する。それにより、複数のボタン１３０は、図６Ａに図示したように、ディスプレイ窓２７０に現れたカテゴリーのうち一つを選択するための矢印、確認機能を意味する映像、及びキャンセル機能を意味する映像をディスプレイする。
【００５７】
一方、ユーザが図６Ａに図示した携帯電話機の第４ボタン２２０を操作するならば、ディスプレイ窓２７０は、文字メッセージ作成と関連したカテゴリー、例えば、‘新しいメッセージ書き込み’、‘携帯電話呼び出し’をディスプレイし、複数のボタン２０５ないし２６０は、そのディスプレイ窓２７０に現れたカテゴリーのうち一つを選択するための矢印、確認機能を意味する映像、及びキャンセル機能を意味する映像をディスプレイすると仮定しよう。
【００５８】
これと関連して、本発明によるディスプレイ機能を持つ複数のボタン２０５ないし２６０は、ユーザが図６Ａに図示した第４ボタン２２０を操作しなくても、ディスプレイ窓２７０に現れたカテゴリーのうち一つを選択するための矢印、確認機能を意味する映像、及びキャンセル機能を意味する映像をディスプレイできる。例えば、ユーザが第１３ボタン２６５を押したまま携帯電話機を東方に４５°ほど傾けた後、第１３ボタン２６５から指を離すことによって、複数のボタン２０５ないし２６０は、図６Ｂに図示したように、ディスプレイ窓２７０に現れたカテゴリーのうち一つを選択するための矢印、確認機能を意味する映像、及びキャンセル機能を意味する映像をディスプレイする。このために、保存部１５０は、携帯電話機が‘東方に４５°ほど傾いた場合’に該当する映像データのうち一つとして、ディスプレイ窓２７０に現れたカテゴリーのうち一つを選択するための矢印、確認機能を意味する映像、及びキャンセル機能を意味する映像を表す映像データを保存することが望ましい。それにより、制御部１４０は、携帯電話機が‘東方に４５°ほど傾いた場合（ただし、複数のボタン２０５ないし２６０は、ディスプレイ窓２７０に現れたカテゴリーのうち一つを選択するための矢印、確認機能を意味する映像、及びキャンセル機能を意味する映像をディスプレイ）’に相応する映像データとして、ディスプレイ窓２７０に現れたカテゴリーのうち一つを選択するための矢印、確認機能を意味する映像、及びキャンセル機能を意味する映像を表す映像データを保存部１５０から読み出す。この場合、制御部１４０は、その読み出された映像データが持つ複数の映像のディスプレイを指示する信号である制御信号を生成し、その生成された制御信号とその読み出された映像データとを複数のボタン１３０それぞれに伝達する。それにより、複数のボタン１３０は、図６Ｂに図示したように、ディスプレイ窓２７０に現れたカテゴリーのうち一つを選択するための矢印、確認機能を意味する映像、及びキャンセル機能を意味する映像をディスプレイする。
【００５９】
もし、ユーザが図６Ｂに図示した携帯電話機の第４ボタン２２０を操作するならば、複数のボタン２０５ないし２６０は、各種ハングル子音、各種ハングル母音、文字転換機能を意味する映像、及びキャンセル機能を意味する映像をディスプレイすると仮定しよう。
【００６０】
これと関連して、本発明によるディスプレイ機能を持つ複数のボタン２０５ないし２６０は、ユーザが図６Ｂに図示した第４ボタン２２０を操作しなくても、各種ハングル子音、各種ハングル母音、文字転換機能を意味する映像、及びキャンセル機能を意味する映像をディスプレイできる。例えば、ユーザが第１３ボタン２６５を押したまま携帯電話機を東方に４５°ほど傾けた後、第１３ボタン２６５から指を離すことによって、複数のボタン２０５ないし２６０は図６Ｃに図示したように、各種ハングル子音、各種ハングル母音、文字転換機能を意味する映像、及びキャンセル機能を意味する映像をディスプレイする。このために、保存部１５０は、携帯電話機が‘東方に４５°ほど傾いた場合’に該当する映像データのうち一つとして、各種ハングル子音、各種ハングル母音、文字転換機能を意味する映像、及びキャンセル機能を意味する映像を表す映像データを保存することが望ましい。それにより、制御部１４０は、携帯電話機が‘東方に４５°ほど傾いた場合（ただし、複数のボタン２０５ないし２６０は携帯電話機が傾く直前に、ディスプレイ窓２７０に現れたカテゴリーのうち一つを選択するための矢印、確認機能を意味する映像、及びキャンセル機能を意味する映像をディスプレイ）’に相応する映像データとして、各種ハングル子音、各種ハングル母音、文字転換機能を意味する映像、及びキャンセル機能を意味する映像を表す映像データを保存部１５０から読み出す。この場合、制御部１４０は、その読み出された映像データが持つ複数の映像のディスプレイを指示する信号である制御信号を生成し、その生成された制御信号とその読み出された映像データとを複数のボタン１３０それぞれに伝達する。それにより、複数のボタン１３０は図６Ｃに図示したように、各種ハングル子音、各種ハングル母音、文字転換機能を意味する映像、及びキャンセル機能を意味する映像をディスプレイする。
【００６１】
一方、ユーザが図６Ｃに図示した携帯電話機の第４ボタン２２０を操作するならば、複数のボタン２０５ないし２６０は、各種アルファベット大文字、文字転換機能を意味する映像、及びキャンセル機能を意味する映像をディスプレイすると仮定しよう。
【００６２】
これと関連して、本発明によるディスプレイ機能を持つ複数のボタン２０５ないし２６０は、ユーザが図６Ｃに図示した第４ボタン２２０を操作しなくても、各種アルファベット大文字、文字転換機能を意味する映像、及びキャンセル機能を意味する映像をディスプレイできる。例えば、ユーザが第１３ボタン２６５を押したまま携帯電話機を東方に４５°ほど傾けた後、第１３ボタン２６５から指を離すことによって、複数のボタン２０５ないし２６０は、図６Ｄに図示したように、各種アルファベット大文字、文字転換機能を意味する映像、及びキャンセル機能を意味する映像をディスプレイする。このために、保存部１５０は、携帯電話機が‘東方に４５°ほど傾いた場合’に該当する映像データのうち一つとして、各種アルファベット大文字、文字転換機能を意味する映像、及びキャンセル機能を意味する映像を表す映像データを保存することが望ましい。それにより、制御部１４０は、携帯電話機が‘東方に４５°ほど傾いた場合（ただし、複数のボタン２０５ないし２６０は、携帯電話機が傾く直前に、各種ハングル子音、各種ハングル母音、文字転換機能を意味する映像、及びキャンセル機能を意味する映像をディスプレイ）’に相応する映像データとして、各種アルファベット大文字、文字転換機能を意味する映像、及びキャンセル機能を意味する映像を表す映像データを保存部１５０から読み出す。この場合、制御部１４０は、その読み出された映像データが持つ複数の映像のディスプレイを指示する信号である制御信号を生成し、その生成された制御信号とその読み出された映像データとを複数のボタン１３０それぞれに伝達する。それにより、複数のボタン１３０は、図６Ｄに図示したように、各種アルファベット大文字、文字転換機能を意味する映像、及びキャンセル機能を意味する映像をディスプレイする。
【００６３】
同様に、ユーザが図６Ｄに図示した携帯電話機の第４ボタン２２０を操作するならば、複数のボタン２０５ないし２６０は、各種アルファベット小文字、文字転換機能を意味する映像、及びキャンセル機能を意味する映像をディスプレイすると仮定しよう。
【００６４】
これと関連して、本発明によるディスプレイ機能を持つ複数のボタン２０５ないし２６０は、ユーザが図６Ｄに図示した第４ボタン２２０を操作しなくても、各種アルファベット小文字、文字転換機能を意味する映像、及びキャンセル機能を意味する映像をディスプレイできる。例えば、ユーザが第１３ボタン２６５を押したまま携帯電話機を東方に４５°ほど傾けた後、第１３ボタン２６５から指を離すことによって、複数のボタン２０５ないし２６０は、図６Ｅに図示したように、各種アルファベット小文字、文字転換機能を意味する映像、及びキャンセル機能を意味する映像をディスプレイする。このために、保存部１５０は、携帯電話機が‘東方に４５°ほど傾いた場合’に該当する映像データのうち一つとして、各種アルファベット小文字、文字転換機能を意味する映像、及びキャンセル機能を意味する映像を表す映像データを保存することが望ましい。それにより、制御部１４０は、携帯電話機が‘東方に４５°ほど傾いた場合（ただし、複数のボタン２０５ないし２６０は、携帯電話機が傾く直前に、各種アルファベット大文字、文字転換機能を意味する映像、及びキャンセル機能を意味する映像をディスプレイ）’に相応する映像データとして、各種アルファベット小文字、文字転換機能を意味する映像、及びキャンセル機能を意味する映像を表す映像データを保存部１５０から読み出す。この場合、制御部１４０は、その読み出された映像データが持つ複数の映像のディスプレイを指示する信号である制御信号を生成し、その生成された制御信号とその読み出された映像データとを複数のボタン１３０それぞれに伝達する。それにより、複数のボタン１３０は、図６Ｅに図示したように、各種アルファベット小文字、文字転換機能を意味する映像、及びキャンセル機能を意味する映像をディスプレイする。
【００６５】
一方、ユーザが図６Ｅに図示した携帯電話機の第４ボタン２２０を操作するならば、複数のボタン２０５ないし２６０は、各種特殊記号、文字転換機能を意味する映像、及びキャンセル機能を意味する映像をディスプレイすると仮定しよう。
【００６６】
これと関連して、本発明によるディスプレイ機能を持つ複数のボタン２０５ないし２６０は、ユーザが図６Ｅに図示した第４ボタン２２０を操作しなくても、各種特殊記号、文字転換機能を意味する映像、及びキャンセル機能を意味する映像をディスプレイできる。例えば、ユーザが第１３ボタン２６５を押したまま携帯電話機を東方に４５°ほど傾けた後、第１３ボタン２６５から指を離すことによって、複数のボタン２０５ないし２６０は、図６Ｆに図示したように、各種特殊記号、文字転換機能を意味する映像、及びキャンセル機能を意味する映像をディスプレイする。このために、保存部１５０は、携帯電話機が‘東方に４５°ほど傾いた場合’に該当する映像データのうち一つとして、各種特殊記号、文字転換機能を意味する映像、及びキャンセル機能を意味する映像を表す映像データを保存することが望ましい。それにより、制御部１４０は、携帯電話機が‘東方に４５°ほど傾いた場合（ただし、複数のボタン２０５ないし２６０は携帯電話機が傾く直前に、各種アルファベット小文字、文字転換機能を意味する映像、及びキャンセル機能を意味する映像をディスプレイ）’に相応する映像データとして、各種特殊記号、文字転換機能を意味する映像、及びキャンセル機能を意味する映像を表す映像データを保存部１５０から読み出す。この場合、制御部１４０は、その読み出された映像データが持つ複数の映像のディスプレイを指示する信号である制御信号を生成し、その生成された制御信号とその読み出された映像データとを複数のボタン１３０それぞれに伝達する。それにより、複数のボタン１３０は、図６Ｆに図示したように、各種特殊記号、文字転換機能を意味する映像、及びキャンセル機能を意味する映像をディスプレイする。
【００６７】
一方、ユーザが図６Ｆに図示した携帯電話機の第４ボタン２２０を操作するならば、複数のボタン２０５ないし２６０は、各種顔文字（ｅｍｏｔｉｃｏｎ）、文字転換機能を意味する映像、及びキャンセル機能を意味する映像をディスプレイすると仮定しよう。この時、顔文字は各種特殊記号の組み合わせで具現できる。
【００６８】
これと関連して、本発明によるディスプレイ機能を持つ複数のボタン２０５ないし２６０は、ユーザが図６Ｆに図示した第４ボタン２２０を操作しなくても、各種顔文字、文字転換機能を意味する映像、及びキャンセル機能を意味する映像をディスプレイできる。例えば、ユーザが第１３ボタン２６５を押したまま携帯電話機を東方に４５°ほど傾けた後、第１３ボタン２６５から指を離すことによって、複数のボタン２０５ないし２６０は、図６Ｇに図示したように、各種顔文字、文字転換機能を意味する映像、及びキャンセル機能を意味する映像をディスプレイする。このために、保存部１５０は、携帯電話機が‘東方に４５°ほど傾いた場合’に該当する映像データのうち一つとして、各種顔文字、文字転換機能を意味する映像、及びキャンセル機能を意味する映像を表す映像データを保存することが望ましい。それにより、制御部１４０は、携帯電話機が‘東方に４５°ほど傾いた場合（ただし、複数のボタン２０５ないし２６０は、携帯電話機が傾く直前に、各種特殊記号、文字転換機能を意味する映像、及びキャンセル機能を意味する映像をディスプレイ）’に相応する映像データとして、各種顔文字、文字転換機能を意味する映像、及びキャンセル機能を意味する映像を表す映像データを保存部１５０から読み出す。この場合、制御部１４０は、その読み出された映像データが持つ複数の映像のディスプレイを指示する信号である制御信号を生成し、その生成された制御信号とその読み出された映像データとを複数のボタン１３０それぞれに伝達する。それにより、複数のボタン１３０は、図６Ｇに図示したように、各種顔文字、文字転換機能を意味する映像、及びキャンセル機能を意味する映像をディスプレイする。
【００６９】
また、ユーザが図６Ｇに図示した携帯電話機の第４ボタン２２０を操作するならば、複数のボタン２０５ないし２６０は、０ないし９の数字、文字転換機能を意味する映像、及びキャンセル機能を意味する映像をディスプレイすると仮定しよう。
【００７０】
これと関連して、本発明によるディスプレイ機能を持つ複数のボタン２０５ないし２６０は、ユーザが図６Ｇに図示した第４ボタン２２０を操作しなくても、０ないし９の数字、文字転換機能を意味する映像、及びキャンセル機能を意味する映像をディスプレイできる。例えば、ユーザが第１３ボタン２６５を押したまま携帯電話機を東方に４５°ほど傾けた後、第１３ボタン２６５から指を離すことによって、複数のボタン２０５ないし２６０は、図６Ｈに図示したように、０ないし９の数字、文字転換機能を意味する映像、及びキャンセル機能を意味する映像をディスプレイする。このために、保存部１５０は、携帯電話機が‘東方に４５°ほど傾いた場合’に該当する映像データのうち一つとして、０ないし９の数字、文字転換機能を意味する映像、及びキャンセル機能を意味する映像を表す映像データを保存することが望ましい。それにより、制御部１４０は、携帯電話機が‘東方に４５°ほど傾いた場合（ただし、複数のボタン２０５ないし２６０は、携帯電話機が傾く直前に、各種顔文字、文字転換機能を意味する映像、及びキャンセル機能を意味する映像をディスプレイ）’に相応する映像データとして、０ないし９の数字、文字転換機能を意味する映像、及びキャンセル機能を意味する映像を表す映像データを保存部１５０から読み出す。この場合、制御部１４０は、その読み出された映像データが持つ複数の映像のディスプレイを指示する信号である制御信号を生成し、その生成された制御信号とその読み出された映像データとを複数のボタン１３０それぞれに伝達する。それにより、複数のボタン１３０は、図６Ｈに図示したように、０ないし９の数字、文字転換機能を意味する映像、及びキャンセル機能を意味する映像をディスプレイする。
【００７１】
もし、ユーザが図６Ｈに図示した携帯電話機の第４ボタン２２０を操作するならば、複数のボタン２０５ないし２６０は、各種ハングル子音、各種ハングル母音、文字転換機能を意味する映像、キャンセル及び住所録機能を意味する映像をディスプレイすると仮定しよう。
【００７２】
これと関連して、本発明によるディスプレイ機能を持つ複数のボタン２０５ないし２６０は、ユーザが図６Ｈに図示した第４ボタン２２０を操作しなくても、各種ハングル子音、各種ハングル母音、文字転換機能を意味する映像、キャンセル及び住所録機能を意味する映像をディスプレイできる。例えば、ユーザが第１３ボタン２６５を押したまま携帯電話機を東方に４５°ほど傾けた後、第１３ボタン２６５から指を離すことによって、複数のボタン２０５ないし２６０は図６Ｉに図示したように、各種ハングル子音、各種ハングル母音、文字転換機能を意味する映像、キャンセル及び住所録機能を意味する映像をディスプレイする。このために、保存部１５０は、携帯電話機が‘東方に４５°ほど傾いた場合’に該当する映像データのうち一つとして、各種ハングル子音、各種ハングル母音、文字転換機能を意味する映像、キャンセル及び住所録機能を意味する映像を表す映像データを保存することが望ましい。それにより、制御部１４０は、携帯電話機が‘東方に４５°ほど傾いた場合（ただし、複数のボタン２０５ないし２６０は、携帯電話機が傾く直前に、０ないし９の数字、文字転換機能を意味する映像、キャンセル機能を意味する映像をディスプレイ）’に相応する映像データとして、各種ハングル子音、各種ハングル母音、文字転換機能を意味する映像、キャンセル及び住所録機能を意味する映像を表す映像データを保存部１５０から読み出す。この場合、制御部１４０は、その読み出された映像データが持つ複数の映像のディスプレイを指示する信号である制御信号を生成し、その生成された制御信号とその読み出された映像データとを複数のボタン１３０それぞれに伝達する。それにより、複数のボタン１３０は、図６Ｉに図示したように、各種ハングル子音、各種ハングル母音、文字転換機能を意味する映像、キャンセル及び住所録機能を意味する映像をディスプレイする。
【００７３】
文字メッセージ作成を完了したユーザは、その文字メッセージを受信する携帯電話機の電話番号を入力しようとする。これと関連して、ユーザが図６Ｉに図示した携帯電話機の第１２ボタン２６０を操作するならば、複数のボタン２０５ないし２６０は、０ないし９の数字、確認及び伝送機能を意味する映像、キャンセル及び住所録機能を意味する映像をディスプレイすると仮定しよう。
【００７４】
ただし、本発明によるディスプレイ機能を持つ複数のボタン２０５ないし２６０は、ユーザが図６Ｉに図示した第１２ボタン２６０を操作しなくても、０ないし９の数字、確認及び伝送機能を意味する映像、キャンセル及び住所録機能を意味する映像をディスプレイできる。例えば、ユーザが第１３ボタン２６５を押したまま携帯電話機を東方に４５°ほど傾けた後、第１３ボタン２６５から指を離すことによって、複数のボタン２０５ないし２６０は、図６Ｊに図示したように、０ないし９の数字、確認及び伝送機能を意味する映像、キャンセル及び住所録機能を意味する映像をディスプレイする。このために、保存部１５０は、携帯電話機が‘東方に４５°ほど傾いた場合’に該当する映像データのうち一つとして、０ないし９の数字、確認及び伝送機能を意味する映像、キャンセル及び住所録機能を意味する映像を表す映像データを保存することが望ましい。それにより、制御部１４０は、携帯電話機が‘東方に４５°ほど傾いた場合（ただし、複数のボタン２０５ないし２６０は、携帯電話機が傾く直前に、各種ハングル子音、各種ハングル母音、文字転換機能を意味する映像、キャンセル及び住所録機能を意味する映像をディスプレイ）’に相応する映像データとして、０ないし９の数字、確認及び伝送機能を意味する映像、キャンセル及び住所録機能を意味する映像を表す映像データを保存部１５０から読み出す。この場合、制御部１４０は、その読み出された映像データが持つ複数の映像のディスプレイを指示する信号である制御信号を生成し、その生成された制御信号とその読み出された映像データとを複数のボタン１３０それぞれに伝達する。それにより、複数のボタン１３０は、図６Ｊに図示したように、０ないし９の数字、確認及び伝送機能を意味する映像、キャンセル及び住所録機能を意味する映像をディスプレイする。
【００７５】
図７は、図２に図示した携帯電話機を利用して撮影する過程を説明するための図である。ユーザは、撮影機能を意味する映像がディスプレイされたボタンを操作することによって、携帯電話機が撮影機能を行うように指示できる。すなわち、ユーザは、撮影機能を意味する映像がディスプレイされたボタンを操作することによって、複数のボタン２０５ないし２６０が、図７に図示したように、撮影を意味する映像、ズームイン機能を意味する映像、ズームアウト機能を意味する映像、シャッター調節機能を意味する映像、フラッシュ調節機能を意味する映像をディスプレイするように指示できる。図７に図示したように、ユーザは、第３ボタン２１５を操作することによってシャッターを調節でき、第６ボタン２３０を操作することによってズームインでき、第７ボタン２３５を操作することによってフラッシュを調節でき、第１０ボタン２５０を操作することによってズームアウトできる。
【００７６】
これと関連して、本発明によるディスプレイ機能を持つボタンを備えた携帯電話機は、ユーザが撮影機能を意味する映像がディスプレイされたボタンを操作しなくても、撮影機能を行うことができる。例えば、ユーザが第１３ボタン２６５を押したまま携帯電話機を北東方向に３０°ほど傾けた後、第１３ボタン２６５から指を離すことによって、複数のボタン２０５ないし２６０は、図７に図示したように、撮影を意味する映像、ズームイン機能を意味する映像、ズームアウト機能を意味する映像、シャッター調節機能を意味する映像、フラッシュ調節機能を意味する映像をディスプレイできる。このために、保存部１５０は、携帯電話機が‘北東方向に３０°ほど傾いた場合’に該当する映像データのうち一つとして、撮影を意味する映像、ズームイン機能を意味する映像、ズームアウト機能を意味する映像、シャッター調節機能を意味する映像、フラッシュ調節機能を意味する映像を表す映像データを保存することが望ましい。それにより、制御部１４０は、携帯電話機が‘北東方向に３０°ほど傾いた場合（ただし、傾く直前の携帯電話機は初期状態にあること）’に相応する映像データとして、撮影を意味する映像、ズームイン機能を意味する映像、ズームアウト機能を意味する映像、シャッター調節機能を意味する映像、フラッシュ調節機能を意味する映像を表す映像データを保存部１５０から読み出す。この場合、制御部１４０は、その読み出された映像データが持つ複数の映像のディスプレイを指示する信号である制御信号を生成し、その生成された制御信号とその読み出された映像データとを複数のボタン１３０それぞれに伝達する。それにより、複数のボタン１３０は、図７に図示したように、撮影を意味する映像、ズームイン機能を意味する映像、ズームアウト機能を意味する映像、シャッター調節機能を意味する映像、フラッシュ調節機能を意味する映像をディスプレイする。
【００７７】
図８は、図２に図示した携帯電話機に保存された映像データのうち一つの映像データを検索する過程を説明するための参考図である。ここで、携帯電話機は、映像データを内容別に区分して保存すると仮定する。図８に図示したように、携帯電話機は、映像データを私、家族、友達、景色、芸能人、動物別に区分して保存する。
【００７８】
もし、ユーザが第６ボタン２３０を操作するならば、ディスプレイ窓２７０は、その保存された映像データのうち芸能人と関連した映像データをディスプレイする。この時、ユーザが第１３ボタン２６５を押したまま携帯電話機を傾けるならば、ディスプレイ窓２７０は、芸能人と関連したその保存された映像データそれぞれを順次にディスプレイする。この時、ユーザが第１３ボタン２６５を押したまま携帯電話機を東方に傾けるならば、そのディスプレイされる映像データは、ディスプレイ窓２７０内で、図８に図示した矢印方向に移動する。一方、ユーザが第１３ボタン２６５を押したまま携帯電話機を西方に傾けるならば、そのディスプレイされる映像データは、ディスプレイ窓２７０内で、図８に図示した矢印逆方向に移動する。このように、芸能人と関連したその保存された映像データがディスプレイされる最中、ディスプレイ窓２７０にユーザが検索しようとする映像データがディスプレイされるならば、ユーザは、その押していた第１３ボタン２６５から指を離すことが望ましい。この場合、ディスプレイ窓２７０は、ユーザが第１３ボタン２６５から指を離す当時にディスプレイされた映像データを、携帯電話機の傾斜度に関係なくディスプレイし続ける。
【００７９】
図９Ａ及び図９Ｂは、図２に図示した携帯電話機に保存された音楽データのうち一つの音楽データを検索する過程を説明するための参考図である。
【００８０】
携帯電話機が再生可能な音楽データがその携帯電話機に保存された場合、本発明によるディスプレイ機能を持つ複数のボタン２０５ないし２６０は、その保存された音楽データを意味する複数の映像をディスプレイすることが望ましい。
【００８１】
図９Ａ及び図９Ｂで、携帯電話機には総１０８個の音楽データが保存されていると仮定する。複数のボタン２０５ないし２６０は、その１０８個の音楽データのうち選択された１２個の音楽データを意味する１２個の映像をディスプレイする。この時、ボタン２０５ないし２６０のうち一つは、音楽データのファイル名をディスプレイできる。例えば、複数のボタン２０５ないし２６０は、図９Ｂに図示したように、ａ．ｍｐ３、ｂ．ｍｐ３、ｃ．ｍｐ３，…，ｋ．ｍｐ３、ｌ．ｍｐ３をディスプレイできる。
【００８２】
図９Ａに図示したように、１０８個の直四角形のうち選択された１２個の直四角形は、複数のボタン２０５ないし２６０を意味する。参照番号９１０、９２０、９３０は、その選択された１２個の直四角形の一例を意味する。
【００８３】
このような１０８個の音楽データは、一定の規則によって配列されて携帯電話機に保存されることが望ましい。図９Ａの場合、ａ方向に進むほど遅いテンポを持つ音楽データが配列され、ｂ方向に進むほど速いテンポを持つ音楽データが配列され、ｃ方向に進むほど演奏長さの長い音楽データが配列され、ｄ方向に進むほど演奏長さの短い音楽データが配列されると仮定する。
【００８４】
一方、ユーザが第１３ボタン２６５を押したまま携帯電話機を傾ければ、複数のボタン２０５ないし２６０がディスプレイする１２個の映像は更新される。例えば、ユーザが第１３ボタン２６５を押したまま携帯電話機を北方、すなわち、ａ方向に傾けるならば、その１０８個の直四角形のうち選択される１２個の直四角形がａ方向に移動する。同様に、ユーザが第１３ボタン２６５を押したまま携帯電話機を南方、すなわち、ｂ方向に傾けるならば、その１０８個の直四角形のうち選択される１２個の直四角形がｂ方向に移動する。また、ユーザが第１３ボタン２６５を押したまま携帯電話機を西方、すなわち、ｃ方向に傾けるならば、その１０８個の直四角形のうち、選択される１２個の直四角形がｃ方向に移動する。これと類似して、ユーザが第１３ボタン２６５を押したまま携帯電話機を東方、すなわち、ｄ方向に傾けるならば、その１０８個の直四角形のうち、選択される１２個の直四角形がｄ方向に移動する。
【００８５】
このように、１２個の映像が更新されてディスプレイされる最中、複数のボタン２０５ないし２６０にユーザが検索しようとする１２個の音楽データを意味する１２個の映像がディスプレイされるならば、ユーザはその押していた第１３ボタン２６５から指を離すことが望ましい。この場合、複数のボタン２０５ないし２６０は、ユーザが第１３ボタン２６５から指を離す当時にディスプレイされた１２個の映像を、携帯電話機の傾斜度に関係なくディスプレイし続ける。
【００８６】
一方、１２個の映像が更新されてディスプレイされる時、ディスプレイ窓２７０は、その選択された１２個の音楽データが持つテンポの平均値を意味する色相をディスプレイできる。この時、そのディスプレイされる色相はテンポが遅いほど暗い色相でありうる。
【００８７】
図１０の（ａ）、（ｂ）、（ｃ）は、図２に図示した携帯電話機の各ボタンごとに、バックライトの輝度またはディスプレイされる映像の輝度がその携帯電話機の傾斜度によって決定されることを説明するための参考図である。
【００８８】
図示したように、本発明によるディスプレイ機能を持つボタンを備えた携帯電話機は、携帯電話機の傾いた程度をユーザに認知させるために、その傾いた程度によって各ボタン２０５ないし２６０のバックライトの輝度を調節できる。
【００８９】
または、本発明によるディスプレイ機能を持つボタンを備えた携帯電話機は、携帯電話機の傾いた程度をユーザに認知させるために、その傾いた程度によって各ボタン２０５ないし２６０ごとにディスプレイされる映像の輝度を調節できる。
【００９０】
図１１は、本発明によるディスプレイ機能を持つボタンを備えた端末機のためのディスプレイ方法を説明するためのフローチャートであり、端末機の傾斜度によって決定される複数の映像を、その端末機に備えられた複数のボタンにディスプレイするステップ（第１１１０〜１１３０ステップ）からなる。
【００９１】
感知部１１０は、端末機に及ぶ重力加速度をその端末機に対して固定的な座標上で感知して（第１１１０ステップ）、算出部１２０は、第１１１０ステップで感知された結果を利用してその端末機の傾斜度を求める（第１１２０ステップ）。
【００９２】
第１１２０ステップ後に、複数のボタン１３０は、あらかじめ設けられた映像データのうち、第１１２０ステップで求められた結果に相応する映像データが表す複数の映像をディスプレイする（第１１３０ステップ）。
【００９３】
本発明はまた、コンピュータで読み取り可能な記録媒体にコンピュータで読み取り可能なコードとして具現できる。コンピュータで読み取り可能な記録媒体は、コンピュータシステムによって読み取られるデータが保存されるあらゆる種類の記録装置を含む。コンピュータで読み取り可能な記録媒体の例には、ＲＯＭ、ＲＡＭ、ＣＤ−ＲＯＭ、磁気テープ、フロッピー（登録商標）ディスク、光データ保存装置などがあり、また、キャリアウェーブ（例えば、インターネットを通じた伝送）の形態で具現されるものも含む。また、コンピュータで読み取り可能な記録媒体は、ネットワークに連結されたコンピュータシステムに分散されて、分散方式でコンピュータで読み取り可能なコードが保存されて実行されうる。
【００９４】
以上、図面と明細書で最適の実施形態が開示された。ここで、特定の用語が使われたが、これは、単に本発明を説明するための目的で使われたものであり、意味限定や特許請求の範囲に記載された本発明の範囲を制限するために使われたものではない。したがって、当業者ならば、これより多様な変形及び均等な他の実施形態が可能であるという点を理解できるであろう。したがって、本発明の真の技術的保護範囲は、特許請求の範囲の技術的思想により定められねばならない。
【産業上の利用可能性】
【００９５】
本発明は、携帯電話機などのディスプレイ機能を持つ端末機関連の技術分野に好適に用いられる。
【図面の簡単な説明】
【００９６】
【図１】本発明によるディスプレイ機能を持つ端末機を説明するためのブロック図である。
【図２】本発明によるディスプレイ機能を持つボタンを備えたホルダー型携帯電話機を広げた態様の一例を示す図である。
【図３】図２に図示した携帯電話機を利用して電話をかける過程を説明するための図である。
【図４】図２に図示した携帯電話機を利用してメッセージを発信するか、または受信されたメッセージを確認する過程を説明するための図である。
【図５Ａ】図２に図示した携帯電話機に受信された文字メッセージを確認する過程を説明するための図である。
【図５Ｂ】図２に図示した携帯電話機に受信された文字メッセージを確認する過程を説明するための図である。
【図５Ｃ】図２に図示した携帯電話機に受信された文字メッセージを確認する過程を説明するための図である。
【図６Ａ】図２に図示した携帯電話機を利用して文字メッセージを発信する過程を説明するための図である。
【図６Ｂ】図２に図示した携帯電話機を利用して文字メッセージを発信する過程を説明するための図である。
【図６Ｃ】図２に図示した携帯電話機を利用して文字メッセージを発信する過程を説明するための図である。
【図６Ｄ】図２に図示した携帯電話機を利用して文字メッセージを発信する過程を説明するための図である。
【図６Ｅ】図２に図示した携帯電話機を利用して文字メッセージを発信する過程を説明するための図である。
【図６Ｆ】図２に図示した携帯電話機を利用して文字メッセージを発信する過程を説明するための図である。
【図６Ｇ】図２に図示した携帯電話機を利用して文字メッセージを発信する過程を説明するための図である。
【図６Ｈ】図２に図示した携帯電話機を利用して文字メッセージを発信する過程を説明するための図である。
【図６Ｉ】図２に図示した携帯電話機を利用して文字メッセージを発信する過程を説明するための図である。
【図６Ｊ】図２に図示した携帯電話機を利用して文字メッセージを発信する過程を説明するための図である。
【図７】図２に図示した携帯電話機を利用して撮影する過程を説明するための図である。
【図８】図２に図示した携帯電話機に保存された映像データのうち一つの映像データを検索する過程を説明するための参考図である。
【図９Ａ】図２に図示した携帯電話機に保存された音楽データのうち一つの音楽データを検索する過程を説明するための参考図である。
【図９Ｂ】図２に図示した携帯電話機に保存された音楽データのうち一つの音楽データを検索する過程を説明するための参考図である。
【図１０】（ａ）、（ｂ）、（ｃ）は、図２に図示した携帯電話機の各ボタンごとに、バックライトの輝度またはディスプレイされる映像の輝度がその携帯電話機の傾斜度によって決定されることを説明するための参考図である。
【図１１】本発明によるディスプレイ機能を持つボタンを備えた端末機のためのディスプレイ方法を説明するためのフローチャートである。
【符号の説明】
【００９７】
１１０  感知部
１２０  算出部
１３０  ボタン
１３０−１  第１ボタン
１３０−ｎ  第ｎボタン
１３０−Ｎ  第Ｎボタン
１４０  制御部
１５０  保存部
１６０  メインディスプレイ部
２０５、２１０、２１５、２２０、２２５、２３０、２３５、２４０、２４５、２５０、２５５、２６０、２６５、  第１乃至第１３ボタン
２７０  ディスプレイ窓
【図１】
2007312360.tif 000003
【図２】
2007312360.tif 000004
【図３】
2007312360.tif 000005
【図４】
2007312360.tif 000006
【図５Ａ】
2007312360.tif 000007
【図５Ｂ】
2007312360.tif 000008
【図５Ｃ】
2007312360.tif 000009
【図６Ａ】
2007312360.tif 000010
【図６Ｂ】
2007312360.tif 000011
【図６Ｃ】
2007312360.tif 000012
【図６Ｄ】
2007312360.tif 000013
【図６Ｅ】
2007312360.tif 000014
【図６Ｆ】
2007312360.tif 000015
【図６Ｇ】
2007312360.tif 000016
【図６Ｈ】
2007312360.tif 000017
【図６Ｉ】
2007312360.tif 000018
【図６Ｊ】
2007312360.tif 000019
【図７】
2007312360.tif 000020
【図８】
2007312360.tif 000021
【図９Ａ】
2007312360.tif 000022
【図９Ｂ】
2007312360.tif 000023
【図１０】
2007312360.tif 000024
【図１１】
2007312360.tif 000025